(57)【特許請求の範囲】
【請求項１】
記憶装置であって、
前記記憶装置に装着またはケーブルを介して接続された映像装置と通信を行う第１の通信手段と、
ネットワーク内のデバイスと無線による通信を行う第２の通信手段と、
前記記憶装置の動作を制御する制御手段とを備え、
前記制御手段は、前記記憶装置が前記映像装置に装着またはケーブルを介して接続されている場合に前記第１の通信手段を用いて前記映像装置専用の記憶装置として動作させる第１の動作モードと、前記記憶装置が前記映像装置に装着またはケーブルを介して接続されていない場合に前記第２の通信手段を用いて前記ネットワーク上のファイルサーバとして動作させる第２の動作モードの何れかを選択することを特徴とする記憶装置。
【請求項２】
記憶装置であって、
前記記憶装置に装着またはケーブルを介して接続された映像装置と通信を行う第１の通信手段と、
ネットワーク内のデバイスと無線による通信を行う第２の通信手段と、
前記記憶装置の動作を制御する制御手段とを備え、
前記第１の通信手段は前記映像装置から送信された制御情報を受信し、前記制御手段は、前記第１の通信手段により受信された前記制御情報に応じて、前記第１の通信手段を用いて前記映像装置専用の記憶装置として動作させる第１の動作モードと、前記第２の通信手段を用いて前記ネットワーク上のファイルサーバとして動作させる第２の動作モードの何れかを選択することを特徴とする記憶装置。
【請求項３】
前記制御手段は、前記第１の動作モードにおいては前記無線通信手段を使用できないようにし、前記第２の動作モードにおいては、前記ネットワーク上のファイルサーバとして動作するために前記無線通信手段を使用できるようにすることを特徴とする請求項１または２に記載の記憶装置。
【請求項４】
前記第１の通信手段または前記第２の通信手段から得たビデオデータを記憶媒体に対して書き込む処理と、前記記憶媒体からビデオデータを読み出して前記第１の通信手段または前記第２の通信手段に供給する処理を行うストレージユニットを備えたことを特徴とする請求項１から３の何れか１項に記載の記憶装置。
【請求項５】
装着またはケーブルを介して接続された映像装置と通信を行う第１の通信手段と、ネットワーク内のデバイスと無線による通信を行う第２の通信手段とを備える記憶装置の制御方法であって、
前記記憶装置が前記映像装置に装着またはケーブルを介して接続されている場合に前記第１の通信手段を用いて前記映像装置専用の記憶装置として動作させる第１の動作モードと、前記記憶装置が前記映像装置に装着またはケーブルを介して接続されていない場合に前記第２の通信手段を用いて前記ネットワーク上のファイルサーバとして動作させる第２の動作モードの何れかを選択することを特徴とする制御方法。
【請求項６】
前記第１の動作モードにおいては前記無線通信手段を使用できないようにし、前記第２の動作モードにおいては前記ネットワーク上のファイルサーバとして動作するために前記無線通信手段を使用できるようにすることを特徴とする請求項５に記載の制御方法。
【請求項７】
装着またはケーブルを介して接続された映像装置と通信を行う第１の通信手段と、ネットワーク内のデバイスと無線による通信を行う第２の通信手段とを備える記憶装置の制御方法であって、
前記映像装置から送信され前記第１の通信手段により受信された制御情報に応じて、前記第１の通信手段を用いて前記映像装置専用の記憶装置として動作させる第１の動作モードと、前記第２の通信手段を用いて前記ネットワーク上のファイルサーバとして動作させる第２の動作モードの何れかを選択することを特徴とする制御方法。
【請求項８】
前記第１の動作モードにおいては前記無線通信手段を使用できないようにし、前記第２の動作モードにおいては前記ネットワーク上のファイルサーバとして動作するために前記無線通信手段を使用できるようにすることを特徴とする請求項７に記載の制御方法。
【発明の詳細な説明】
【０００１】
【発明の属する技術分野】
本発明は、映像装置の記憶装置として動作する記憶装置およびその制御方法に関する。
【０００２】
【従来の技術】
従来、デジタルビデオカメラなどの映像装置の外部記憶装置であって、映像装置から出力されたデジタルビデオデータを記憶する記憶装置が知られている（例えば、特開平８−１１６４８１号公報）。
【０００３】
【特許文献１】
特開平８−１１６４８１号公報
【０００４】
【発明が解決しようとする課題】
しかしながら、従来の記憶装置は、映像装置専用の記憶装置として動作することはできても、ＮＡＳ（Network Attached Storage）のように動作することはできなかった。ＮＡＳとは、ネットワークに直接接続可能な記憶装置であって、ファイルサーバとして動作することの可能な記憶装置である。ＮＡＳのように動作できれば、記憶装置をネットワークに接続するだけで、記憶装置に記憶したデジタルビデオデータをネットワーク内のネットワークデバイスに提供することもできるが、従来の記憶装置ではそのようなことはできなかった。
【０００５】
また、従来の映像装置は、映像装置専用の記憶装置として動作する動作モードと、ファイルサーバとして動作する動作モードとを自動的に切り替えることもできなかった。
【０００６】
本発明は、このような問題に鑑みてなされたものであり、映像装置専用の記憶装置として動作することも、ファイルサーバとして動作することもできる記憶装置を提供することを目的とする。
【０００７】
【課題を解決するための手段】
本発明における記憶装置の一つは、記憶装置であって、前記記憶装置に装着またはケーブルを介して接続された映像装置と通信を行う第１の通信手段と、ネットワーク内のデバイスと無線による通信を行う第２の通信手段と、前記記憶装置の動作を制御する制御手段とを備え、前記制御手段は、前記記憶装置が前記映像装置に装着またはケーブルを介して接続されている場合に前記第１の通信手段を用いて前記映像装置専用の記憶装置として動作させる第１の動作モードと、前記記憶装置が前記映像装置に装着またはケーブルを介して接続されていない場合に前記第２の通信手段を用いて前記ネットワーク上のファイルサーバとして動作させる第２の動作モードの何れかを選択することを特徴とする。
【０００８】
本発明における記憶装置の一つは、記憶装置であって、前記記憶装置に装着またはケーブルを介して接続された映像装置と通信を行う第１の通信手段と、ネットワーク内のデバイスと無線による通信を行う第２の通信手段と、前記記憶装置の動作を制御する制御手段とを備え、前記第１の通信手段は前記映像装置から送信された制御情報を受信し、前記制御手段は、前記第１の通信手段により受信された前記制御情報に応じて、前記第１の通信手段を用いて前記映像装置専用の記憶装置として動作させる第１の動作モードと、前記第２の通信手段を用いて前記ネットワーク上のファイルサーバとして動作させる第２の動作モードの何れかを選択することを特徴とする。
【０００９】
本発明における制御方法の一つは、装着またはケーブルを介して接続された映像装置と通信を行う第１の通信手段と、ネットワーク内のデバイスと無線による通信を行う第２の通信手段とを備える記憶装置の制御方法であって、前記記憶装置が前記映像装置に装着またはケーブルを介して接続されている場合に前記第１の通信手段を用いて前記映像装置専用の記憶装置として動作させる第１の動作モードと、前記記憶装置が前記映像装置に装着またはケーブルを介して接続されていない場合に前記第２の通信手段を用いて前記ネットワーク上のファイルサーバとして動作させる第２の動作モードの何れかを選択することを特徴とする。
【００１０】
本発明における制御方法の一つは、装着またはケーブルを介して接続された映像装置と通信を行う第１の通信手段と、ネットワーク内のデバイスと無線による通信を行う第２の通信手段とを備える記憶装置の制御方法であって、前記映像装置から送信され前記第１の通信手段により受信された制御情報に応じて、前記第１の通信手段を用いて前記映像装置専用の記憶装置として動作させる第１の動作モードと、前記第２の通信手段を用いて前記ネットワーク上のファイルサーバとして動作させる第２の動作モードの何れかを選択することを特徴とする。
【００１１】
【発明の実施の形態】
以下、図面を参照し、本発明の各実施の形態を説明する。
【００１２】
（第１の実施の形態）
まず、図１（ａ）および図１（ｂ）を参照し、第１の実施の形態における記憶装置１０の利用形態の一例を説明する。図１（ａ）は、記憶装置１０がＤＡＳ（Direst Attached Storage）モードであるときの利用形態の一例を示す図であり、図１（ｂ）は、記憶装置１０がＮＡＳ（Network Attached Storage）モードであるときの利用形態の一例を示す図である。
【００１３】
記憶装置１０は、ＤＡＳモードとＮＡＳモードとを有し、それらのモードを選択的に実行する記憶装置である。ＤＡＳモードは、記憶装置１０を映像装置２０専用の記憶装置として動作させる動作モードである。ＤＡＳモードは、記憶装置１０を映像装置２０に装着またはケーブルを介して接続したときに自動的に選択され、実行される動作モードである。ＮＡＳモードは、アクセスポイント３０を介して記憶装置１０を自動的にネットワークに接続し、ファイルサーバとして動作させる動作モードである。言い換えれば、ＮＡＳモードは、記憶装置１０をＮＡＳ（Network Attached Storage）のように動作させる動作モードである。ＮＡＳモードは、記憶装置１０を映像装置２０から切り離したときに自動的に選択され、実行される動作モードである。記憶装置１０がＮＡＳモードのとき、各ネットワークデバイス４０は、アクセスポイント３０を介して記憶装置１０を利用することができる。映像装置２０は、デジタルビデオレコーダ、デジタルビデオカメラなどの装置であり、記憶装置１０が映像装置２０に接続されているときにデジタルビデオデータを記憶装置１０に記憶させる装置である。アクセスポイント３０は、無線ＬＡＮなどの無線ネットワーク内のアクセスポイントである。
【００１４】
次に、図２を参照し、第１の実施の形態における記憶装置１０の主要な構成を説明する。
【００１５】
図２において、デバイスインターフェースユニット１０１は、映像装置２０との通信を可能にするユニットである。無線インターフェースユニット１０２は、無線ネットワーク内のアクセスポイント３０との通信を可能にするユニットである。ストレージユニット１０３は、デバイスインターフェースユニット１０１または無線インターフェースユニット１０２から得たデジタルビデオデータをランダムアクセス可能な記憶媒体に書き込む処理、ランダムアクセス可能な記憶媒体から読み出したデジタルビデオデータをデバイスインターフェースユニット１０１または無線インターフェースユニット１０２に供給する処理を行うユニットである。また、ストレージユニット１０３は、無線インターフェースユニット１０２を介してファイルサーバの機能を提供することもできるユニットである。ＣＰＵ（Central Processing Unit）１０４は、プログラムメモリ１０５が記憶するプログラムに従って記憶装置１０の機能を制御し、管理するユニットである。
【００１６】
次に、図３のフローチャートを参照し、記憶装置１０において実行される動作モード切り替え処理を説明する。なお、動作モード切り替え処理において、ＣＰＵ１０１における処理は、プログラムメモリ１０５が記憶するプログラムに従って実行されるものとする。
【００１７】
ステップＳ３０１：使用者が記憶装置１０を映像装置２０に接続した場合、デバイスインターフェースユニット１０１は記憶装置１０が映像装置２０に接続されたことを電気的にあるいはスイッチを用いて検出し、記憶装置１０が映像装置２０に接続されたことをＣＰＵ１０４に通知する。ＣＰＵ１０４は、デバイスインターフェースユニット１０１からの通知に従って、記憶装置１０が映像装置２０に接続されたか否かを判定する。記憶装置１０が映像装置２０に接続されたと判定した場合、本フローチャートはステップＳ３０２に進む。記憶装置１０が映像装置２０に接続されていないと判定した場合、本フローチャートはステップＳ３０５に進む。
【００１８】
ステップＳ３０２：ＣＰＵ１０４は、記憶装置１０の動作モードをＤＡＳモードに切り替える。
【００１９】
ステップＳ３０３：ＣＰＵ１０４は、無線インターフェースユニット１０２の機能を使用できないようにするとともに、記憶装置１０をネットワークから切り離す。そして、ＣＰＵ１０４は、記憶装置１０が映像装置２０専用の記憶装置として動作するように記憶装置１０を制御する。
【００２０】
ステップＳ３０４：使用者が記憶装置１０を映像装置２０から取り外した場合、デバイスインターフェースユニット１０１は記憶装置１０が映像装置２０から切り離されたことを電気的にあるいはスイッチを用いて検出し、記憶装置１０が映像装置２０から切り離されたことをＣＰＵ１０４に通知する。ＣＰＵ１０４は、デバイスインターフェースユニット１０１からの通知に従って、記憶装置１０が映像装置２０から切り離されたか否かを判定する。記憶装置１０が映像装置２０から切り離されたと判定した場合、本フローチャートはステップＳ３０５に進む。
【００２１】
ステップＳ３０５：ＣＰＵ１０４は、記憶装置１０の動作モードをＮＡＳモードに切り替える。
【００２２】
ステップＳ３０６：ＣＰＵ１０４は、無線インターフェースユニット１０２の機能を使用可能にするとともに、アクセスポイント３０を介して記憶装置１０をネットワークに接続する。そして、ＣＰＵ１０４は、記憶装置１０がネットワークに直接接続されたファイルサーバとして動作するように記憶装置１０を制御する。このような処理を実行することにより、各ネットワークデバイス４０は、アクセスポイント３０を介して記憶装置１０を利用することができるようになり、ストレージユニット１０３から所望のデジタルビデオデータを読み出したり、ストレージユニット１０３に所望のデジタルビデオデータを書き込んだりすることができるようになる。
【００２３】
このように、第１の実施の形態における記憶装置１０によれば、映像装置２０専用の記憶装置として動作することも、ネットワークに直接接続されたファイルサーバとして動作することもできる。
【００２４】
また、第１の実施の形態における記憶装置１０によれば、記憶装置１０が映像装置に接続されているか否かに応じて記憶装置１０の動作モードをＤＡＳモードまたはＮＡＳモードを選択することができるので、映像装置２０専用の記憶装置として動作する動作モードと、ネットワークに直接接続されたファイルサーバとして動作する動作モードとを自動的に切り替えることもできる。
【００２５】
また、第１の実施の形態における記憶装置１０によれば、無線インターフェースユニット１０２を用いてネットワークに接続することができるので、記憶装置１０を映像装置２０から切り離すだけで記憶装置１０をネットワークに簡単に接続することができる。
【００２６】
また、第１の実施の形態における記憶装置１０によれば、ＮＡＳモードのときはネットワークに直接接続されたファイルサーバとして動作することができるので、映像装置２０が記憶装置１０に保存したデジタルビデオデータをそのデータを要求するネットワークデバイスに提供することができる。
【００２７】
（第２の実施の形態）
第１の実施の形態では、記憶装置が映像装置に接続されているか否かに応じてＤＡＳモードまたはＮＡＳモードを切り替える形態を説明した。第２の実施の形態では、映像装置から得られたモード切り替えコマンドに応じてＤＡＳモードまたはＮＡＳモードを切り替える形態を説明する。
【００２８】
まず、図４（ａ）および図４（ｂ）を参照し、第２の実施の形態における記憶装置５０の利用形態の一例を説明する。図４（ａ）は、記憶装置５０がＤＡＳ（Direst Attached Storage）モードであるときの利用形態の一例を示す図であり、図４（ｂ）は、記憶装置５０がＮＡＳ（Network Attached Storage）モードであるときの利用形態の一例を示す図である。
【００２９】
記憶装置５０は、ＤＡＳモードとＮＡＳモードとを有し、それらのモードを選択的に実行する記憶装置である。ＤＡＳモードは、記憶装置５０を映像装置６０専用の記憶装置として動作させる動作モードである。ＤＡＳモードは、映像装置６０から記憶装置５０に送信されたモード切り替えコマンドに応じて自動的に選択され、実行される動作モードである。ＮＡＳモードは、アクセスポイント７０を介して記憶装置５０を自動的にネットワークに接続し、ファイルサーバとして動作させる動作モードである。言い換えれば、ＮＡＳモードは、記憶装置５０をＮＡＳ（Network Attached Storage）のように動作させる動作モードである。ＮＡＳモードは、映像装置６０から記憶装置５０に送信されたモード切り替えコマンドに応じて自動的に選択され、実行される動作モードである。記憶装置５０がＮＡＳモードのとき、各ネットワークデバイス８０は、アクセスポイント７０を介して記憶装置５０を利用することができる。映像装置６０は、デジタルビデオレコーダ、デジタルビデオカメラなどの装置であり、記憶装置５０が映像装置６０に接続されているときにデジタルビデオデータを記憶装置５０に記憶させる装置である。また、映像装置６０は、記憶装置５０の動作モードをＤＡＳモードまたはＮＡＳモードに切り替えるための制御情報であるモード切り替えコマンドを記憶装置５０に送信する装置でもある。アクセスポイント７０は、無線ＬＡＮなどの無線ネットワーク内のアクセスポイントである。
【００３０】
次に、図５を参照し、第２の実施の形態における記憶装置５０の主要な構成を説明する。
【００３１】
図５において、デバイスインターフェースユニット４０１は、映像装置６０との通信を可能にするユニットである。無線インターフェースユニット４０２は、無線ネットワーク内のアクセスポイント７０との通信を可能にするユニットである。ストレージユニット４０３は、デバイスインターフェースユニット４０１または無線インターフェースユニット４０２から得たデジタルビデオデータをランダムアクセス可能な記憶媒体に書き込む処理、ランダムアクセス可能な記憶媒体から読み出したデジタルビデオデータをデバイスインターフェースユニット４０１または無線インターフェースユニット４０２に供給する処理を行うユニットである。また、ストレージユニット４０３は、無線インターフェースユニット４０２を介してファイルサーバの機能を提供することもできるユニットである。ＣＰＵ（Central Processing Unit）４０４は、プログラムメモリ４０５が記憶するプログラムに従って記憶装置５０の機能を制御し、管理するユニットである。
【００３２】
次に、図６のフローチャートを参照し、記憶装置５０において実行される動作モード切り替え処理を説明する。なお、動作モード切り替え処理において、ＣＰＵ４０１における処理は、プログラムメモリ４０５が記憶するプログラムに従って実行されるものとする。
【００３３】
ステップＳ６０１：デバイスインターフェースユニット４０１は、映像装置６０から記憶装置５０に送信されたモード切り替えコマンドを受信し、受信したモード切り替えコマンドをＣＰＵ４０４に供給する。ＣＰＵ４０４は、デバイスインターフェースユニット４０１から供給されたモード切り替えコマンドの内容を調べ、記憶装置５０の動作モードをＤＡＳモードまたはＮＡＳモードに切り替える。ＤＡＳモードに切り替える場合、本フローチャートはステップＳ６０２に進む。ＮＡＳモードに切り替える場合、本フローチャートはステップＳ６０４に進む。
【００３４】
ステップＳ６０２：ＣＰＵ４０４は、記憶装置５０の動作モードをＤＡＳモードに切り替える。
【００３５】
ステップＳ６０３：ＣＰＵ４０４は、無線インターフェースユニット４０２の機能を使用できないようにするとともに、記憶装置５０をネットワークから切り離す。そして、ＣＰＵ４０４は、記憶装置５０が映像装置６０専用の記憶装置として動作するように記憶装置５０を制御する。
【００３６】
ステップＳ６０４：ＣＰＵ４０４は、記憶装置５０の動作モードをＮＡＳモードに切り替える。
【００３７】
ステップＳ６０５：ＣＰＵ４０４は、無線インターフェースユニット４０２の機能を使用可能にするとともに、アクセスポイント７０を介して記憶装置５０をネットワークに接続する。そして、ＣＰＵ４０４は、記憶装置５０がネットワークに直接接続されたファイルサーバとして動作するように記憶装置５０を制御する。このような処理を実行することにより、各ネットワークデバイス８０は、アクセスポイント７０を介して記憶装置５０を利用することができるようになり、ストレージユニット４０３から所望のデジタルビデオデータを読み出したり、ストレージユニット４０３に所望のデジタルビデオデータを書き込んだりすることができるようになる。
【００３８】
このように、第２の実施の形態における記憶装置５０によれば、映像装置６０専用の記憶装置として動作することも、ネットワークに直接接続されたファイルサーバとして動作することもできる。
【００３９】
また、第２の実施の形態における記憶装置５０によれば、映像装置６０から送信されたモード切り替えコマンドに応じて記憶装置５０の動作モードをＤＡＳモードまたはＮＡＳモードに切り替えることができるので、映像装置６０専用の記憶装置として動作する動作モードと、ネットワークに直接接続されたファイルサーバとして動作する動作モードとを自動的に切り替えることもできる。
【００４０】
また、第２の実施の形態における記憶装置５０によれば、無線インターフェースユニット４０２を用いてネットワークに接続することができるので、記憶装置５０をネットワークに簡単に接続することができる。
【００４１】
また、第２の実施の形態における記憶装置５０によれば、ＮＡＳモードのときはネットワークに直接接続されたファイルサーバとして動作することができるので、映像装置６０が記憶装置５０に保存したデジタルビデオデータをそのデータを要求するネットワークデバイスに提供することができる。
【００４２】
【発明の効果】
このように、本発明によれば、映像装置専用の記憶装置として動作することも、ファイルサーバとして動作することもできる記憶装置を提供することができる。
【図面の簡単な説明】
【図１】第１の実施の形態における記憶装置１０の利用形態を示す図である。
【図２】第１の実施の形態における記憶装置１０の主要な構成を示す図である。
【図３】第１の実施の形態における記憶装置１０において実行される動作モード切り替え処理を示すフローチャートである。
【図４】第２の実施の形態における記憶装置５０の利用形態を示す図である。
【図５】第２の実施の形態における記憶装置５０の主要な構成を示す図である。
【図６】第２の実施の形態における記憶装置５０において実行される動作モード切り替え処理を示すフローチャートである。
【符号の説明】
１０  記憶装置
１０１  デバイスインターフェースユニット
１０２  無線インターフェースユニット
１０３  ストレージユニット
１０４  ＣＰＵ（Central Processing Unit）
１０５  プログラムメモリ
２０  映像装置
３０  アクセスポイント
４０  ネットワークデバイス
【図１】
0004266655.tif 000002
【図２】
0004266655.tif 000003
【図３】
0004266655.tif 000004
【図４】
0004266655.tif 000005
【図５】
0004266655.tif 000006
【図６】
0004266655.tif 000007